(57)【要約】【課題】省エネルギー機器の導入にあたり、利用者が負担すべき導入費を低減することができるようにする。【解決手段】広告システムが、会員世帯に設置される出力装置と、出力装置に接続されるコンピュータとを含んで構成され、コンピュータは、省エネルギーを実現する機器についての広告を表示するための広告データを記憶する広告記憶部と、機器を提供する事業者から支払われる広告費を記憶する広告費記憶部と、会員が機器の導入を申し込んだ場合に、広告費から機器の導入費に充当される金額である充当額を記憶する充当費記憶部と、機器が導入される場合に充当額が充当されることを表すメッセージとともに広告データを出力装置に出力する広告情報出力部と、を備えることとする。【選択図】  図１
2007041322.tif 000002
【特許請求の範囲】
【請求項１】
会員世帯に設置される出力装置と、前記出力装置に接続されるコンピュータとを含んで構成され、
前記コンピュータは、
省エネルギーを実現する機器についての広告を表示するための広告データを記憶する広告記憶部と、
前記機器を提供する事業者から支払われる広告費を記憶する広告費記憶部と、
前記会員が前記機器の導入を申し込んだ場合に、前記広告費から前記機器の導入費に充当される金額である充当額を記憶する充当費記憶部と、
前記機器が導入される場合に前記充当額が充当されることを表すメッセージとともに前記広告データを前記出力装置に出力する広告情報出力部と、
を備えることを特徴とする広告システム。
【請求項２】
請求項１に記載の広告システムであって、
前記会員世帯に設置され、前記コンピュータと接続される入力装置を含み、
前記広告費記憶部は、前記事業者毎に前記広告費を記憶しており、
前記コンピュータは、
前記機器の導入費に充当された前記充当額の合計額を記憶する充当合計額記憶部と、
前記入力装置を介して前記機器の導入を申し込む申込情報の入力を受け付ける申込情報入力部と、
前記申込情報の入力に応じて、前記合計額が前記機器の価格から前記充当額を減じた導入価格以上であるかどうかを判断する充当判断部と、
前記合計額が前記充当額よりも少ない場合に、前記広告費記憶部に記憶されている前記広告費の第１の合計を算出し、前記事業者毎に、対応する前記広告費の第２の合計を算出し、前記第１の合計における前記第２の合計の割合に応じて、前記合計額と前記充当額との差額を支払うように指示するメッセージを出力するメッセージ出力部と、
を備えることを特徴とする広告システム。
【請求項３】
請求項１に記載の広告システムであって、
前記会員世帯に設置され、前記コンピュータと接続される入力装置を含み、
前記コンピュータは、
前記入力装置から前記広告データが閲覧されたことを示す閲覧情報の入力を受け付ける閲覧情報入力部と、
前記広告データの閲覧履歴を記憶する閲覧履歴記憶部と、
前記閲覧履歴に基づいて、前記広告データが閲覧された回数を集計する集計部と、
集計した前記回数を出力する集計出力部と、
を備えることを特徴とする広告システム。
【請求項４】
請求項３に記載の広告システムであって、
前記閲覧履歴記憶部は前記会員毎に前記閲覧履歴を記憶しており、
前記コンピュータは、
前記会員世帯において消費されるエネルギーの消費量を測定する測定装置から前記消費量を取得するエネルギー消費量取得装置と、
前記会員毎に前記消費量の履歴を記憶するエネルギー消費履歴記憶部と、を備え、
前記集計部は、前記消費量が所定の基準値を超えている前記会員世帯と超えていない前記会員世帯とのそれぞれについて、前記回数を集計すること、
を特徴とする広告システム。
【請求項５】
請求項３に記載の広告システムであって、
前記閲覧履歴記憶部は前記会員毎に前記閲覧履歴を記憶しており、
前記コンピュータは、
前記会員世帯において消費されるエネルギーの消費量を測定する測定装置から前記消費量を取得するエネルギー消費量取得装置と、
前記会員毎に前記消費量の履歴を記憶するエネルギー消費履歴記憶部と、
前記会員毎に、前記消費量の推移のパターンを特定するパターン特定部と、を備え、
前記集計部は、前記パターン毎に、対応する前記会員が前記広告データを閲覧した前記回数を集計すること、
を特徴とする広告システム。
【請求項６】
会員世帯に設置される出力装置に接続されるコンピュータが、
省エネルギーを実現する機器についての広告を表示するための広告データをメモリに記憶し、
前記機器を提供する事業者から支払われる広告費を前記メモリに記憶し、
前記会員が前記機器の導入を申し込んだ場合に、前記広告費から前記機器の導入費に充当される金額である充当額を前記メモリに記憶し、
前記機器の導入に応じて前記充当額が充当されることを表すメッセージとともに前記広告データを前記出力装置に出力すること、
を特徴とする広告方法。
【発明の詳細な説明】
【技術分野】
【０００１】
本発明は、広告システム及び広告方法に関する。
【背景技術】
【０００２】
従来より、経費節減やエネルギーの負荷平準化などのため、省エネルギーの実現が求められている。例えば、特許文献１には、二酸化炭素排出量により運転制御を行うことにより、省エネルギーを実現する空気調和機が提案されている。このような省エネルギー機器を用いて省エネルギーの実現が図られている。省エネルギー機器は各種媒体を通じて広告がなされており、利用者の関心も高まってきている。
【特許文献１】特開２００４−０６０９９８号公報
【発明の開示】
【発明が解決しようとする課題】
【０００３】
しかしながら、省エネルギー機器は導入費用が高額であることが多く、利用者は関心はあるものの導入に踏み切れないという状況に陥ることがある。  
本発明は、このような背景を鑑みてなされたものであり、省エネルギー機器の導入にあたり、利用者が負担すべき導入費を低減することのできる広告システム及び広告方法を提供することを目的とする。
【課題を解決するための手段】
【０００４】
上記課題を解決するための本発明の主たる発明は、広告システムであって、会員世帯に設置される出力装置と、前記出力装置に接続されるコンピュータとを含んで構成され、前記コンピュータは、省エネルギーを実現する機器についての広告を表示するための広告データを記憶する広告記憶部と、前記機器を提供する事業者から支払われる広告費を記憶する広告費記憶部と、前記会員が前記機器の導入を申し込んだ場合に、前記広告費から前記機器の導入費に充当される金額である充当額を記憶する充当費記憶部と、前記機器が導入される場合に前記充当額が充当されることを表すメッセージとともに前記広告データを前記出力装置に出力する広告情報出力部と、を備えることとする。
【発明の効果】
【０００５】
本発明によれば、省エネルギー機器の導入にあたり、利用者が負担すべき導入費を低減することができる。
【発明を実施するための最良の形態】
【０００６】
以下、本発明の一実施形態として、電力（エネルギー）の供給事業者が、省エネルギーを実現する機器の広告を会員世帯に配信する広告システムについて説明する。本実施形態の広告システムでは、会員世帯に省エネルギー機器の広告を配信し、会員がその省エネルギー機器を導入する際に広告費の一部を導入費に充当して、省エネルギー機器の導入に係る会員の負担を軽減するようにしている。なお、本実施形態では、省エネルギーを実現する機器には、省エネルギーを実現するためのサービスも含まれるものとする。
【０００７】
＝＝システム構成＝＝
図１は、本実施形態に係る広告システムの全体構成を示す図である。同図に示すように、本実施形態の広告システムは、会員世帯に設置されているＷＨＭ（Watt Hour Meter；電力量計）１０、ＷＨＭサーバ２０、及び入出力装置２１０、広告会社に設置されるセンタシステム３０を含んで構成される。
【０００８】
ＷＨＭ１０（本発明のエネルギー消費量取得装置に該当する。）は電気の消費量を測定する機器である。ＷＨＭサーバ２０はＷＨＭ１０に接続されており、ＷＨＭ１０が測定した電気の消費量を取得するコンピュータである。また、会員世帯にはタッチパネルディスプレイなどの入出力装置２１０が設置されている。ＷＨＭサーバ２０は入出力装置２１０を介して情報の入出力を行う。ＷＨＭサーバ２０はセンタシステム３０から配信される省エネルギー機器の広告を入出力装置２１０に出力したり、省エネルギー機器の申込を入出力装置２１０から受け付けたりする。
【０００９】
センタシステム３０は、広告会社に設置されるコンピュータである。センタシステム３０は、省エネルギー機器の広告をＷＨＭサーバ２０に送信する。また、センタシステム３０は、後述するように会員による広告の閲覧状況などのマーケティング情報を出力する。
【００１０】
ＷＨＭサーバ２０及びセンタシステム３０は通信ネットワーク４０を介して通信可能に接続されている。通信ネットワーク４０は、例えばインターネットや公衆電話回線、電力線ネットワークなどである。
【００１１】
＝＝ＷＨＭサーバ２０＝＝
図２は、ＷＨＭサーバ２０の構成を示す図である。同図に示すように、ＷＨＭサーバ２０は、ＣＰＵ２０１、メモリ２０２、記憶装置２０３、通信インタフェース２０４、Ｉ／Ｏインタフェース２０５、接続インタフェース２０６を備えている。
【００１２】
記憶装置２０３は、プログラムやデータを記憶する、例えばハードディスクドライブやＣＤ−ＲＯＭドライブ、フラッシュメモリなどである。ＣＰＵ２０１は、記憶装置２０３に記憶されているプログラムをメモリ２０２に読み出して実行することにより各種の機能を提供する。通信インタフェース２０４は、例えば、イーサネット（登録商標）に接続するためのアダプタや、公衆電話回線網に接続するためのモデムなどの、通信ネットワーク４０に接続するためのインタフェースである。Ｉ／Ｏインタフェース２０５及び接続インタフェース２０６は、例えば、シリアルインタフェースなどの、それぞれ入出力装置２１０及びＷＨＭ１０と接続するためのインタフェースである。
【００１３】
図３は、ＷＨＭサーバ２０の機能ブロック図である。同図に示すように、ＷＨＭサーバ２０は、検針情報取得部２２１、検針情報送信部２２２、世帯属性情報入力部２２３、世帯属性情報送信部２２４、広告情報受信部２２５、広告情報出力部２２６、アクセス情報送信部２２７、申込情報入力部２２８、申込情報送信部２２９を備えている。
【００１４】
検針情報取得部２２１は、ＷＨＭ１０から電気の消費量などの検針情報を取得する。本実施形態では検針情報取得部２２１は、１５分毎にＷＨＭ１０から電力の消費量を取得するものとする。  
検針情報送信部２２２は、ＷＨＭ１０から取得した検針情報をセンタシステム３０に送信する。
【００１５】
世帯属性情報入力部２２３は、会員世帯の属性に関する情報（以下、世帯属性情報という。）の入力を受け付ける。世帯属性情報の詳細については後述する。  
世帯属性情報送信部２２４は、世帯属性情報入力部２２３が受け付けた世帯属性情報をセンタシステム３０に送信する。
【００１６】
広告情報受信部２２５は、センタシステム３０から送信される、省エネルギー機器に関する広告情報を受信し、広告情報出力部２２６は、受信した広告情報を入出力装置２１０に出力する。本実施形態では、広告情報はＨＴＭＬ（HyperText Markup Language）により記載されるものとし、広告情報出力部２２６は、ＨＴＭＬで記載されたデータを解析して画面データを生成し、生成した画面データをタッチパネルディスプレイなどの入出力装置２１０に出力する。
【００１７】
アクセス情報送信部２２７は、入出力装置２１０に出力された広告に対して会員が閲覧などのアクセスを行ったことを示す情報（以下、アクセス情報という。）をセンタシステム３０に送信する。アクセス情報送信部２２７は、例えば、ＨＴＭＬのリンクが押下されたことやフォームに情報が入力されたこと（閲覧情報）などにより、アクセス会員が行ったアクセスを検知する。
【００１８】
申込情報入力部２２８は、会員の省エネルギー機器の導入に対する申込に関する情報（以下、申込情報という。）の入力を受け付ける。申込情報は、例えば、広告情報のＨＴＭＬファイルのフォームを介して入力される。  
申込情報送信部２２９は、申込情報入力部２２８が受け付けた申込情報をセンタシステム３０に送信する。
【００１９】
＝＝センタシステム３０＝＝
図４は、センタシステム３０のハードウェア構成を示す図である。同図に示すように、センタシステム３０は、ＣＰＵ３０１、メモリ３０２、記憶装置３０３、通信インタフェース３０４、入力装置３０５、出力装置３０６を備えている。記憶装置３０３はプログラムやデータを記憶する例えばハードディスクドライブやＣＤ−ＲＯＭドライブなどである。ＣＰＵ３０１は記憶装置３０３に記憶されているプログラムをメモリ３０２に読み出して実行することにより各種の機能を実現する。通信インタフェース３０４は、通信ネットワーク４０に接続するためのインタフェースである。通信インタフェース３０４は、例えば、イーサネット（登録商標）に接続するためのアダプタや電話回線網に接続するためのモデムなどである。入力装置３０５は、利用者からの入力を受け付ける例えばキーボードやマウスなどである。出力装置３０６は情報を出力する例えばディスプレイやプリンタなどである。
【００２０】
図５はセンタシステム３０の機能ブロック図である。同図に示すように、センタシステム３０は、ＷＨＭサーバ認証部３１１、世帯属性情報受信部３１２、アクセス情報受信部３１３、検針情報受信部３１４、申込情報受信部３１５、広告情報送信部３１６、生活パターン解析部３１７、消費傾向解析部３１８、統計処理部３１９、広告報告書出力部３２０、申込情報出力部３２１、広告情報登録部３２２の各機能部と、世帯属性情報データベース３５１、アクセス情報データベース３５２、検針情報データベース３５３、生活パターンデータベース３５４、クラスタ情報データベース３５５、統計情報データベース３５６、プール金データベース３５７、広告料金情報データベース３５８、広告情報データベース３５９の各データベースとを備えている。
【００２１】
ＷＨＭサーバ認証部３１１は、例えばＩＤ及びパスワードを利用する認証などの一般的な認証方式により、ＷＨＭサーバ２０の認証を行なう。なお、ＷＨＭサーバ認証部３１１は、上記各機能部３１２〜３２２の処理に先立ってＷＨＭサーバ２０の認証処理を行うものとする。
【００２２】
広告情報データベース３５９は、省エネルギー製品に関する広告情報を記憶する。図６に広告情報データベース３５９に記憶される広告情報の構成を示す。同図に示すように、広告情報には、広告主ＩＤ、広告管理番号、製品名、製品紹介文、写真データ、ＨＴＭＬファイルが含まれている。広告主ＩＤは、広告を提供する広告主を特定する情報である。広告管理番号は広告情報の識別情報である。写真データは製品を撮影した画像データである。本実施形態では、広告はＨＴＭＬで記述されるものとし、ＨＴＭＬで記述された広告データがＨＴＭＬファイルである。
【００２３】
広告情報登録部３２２は、ＨＴＭＬで記述されたデータや写真の画像データなどの入力を受け付けて広告情報データベース３５９に登録する。
【００２４】
広告料金情報データベース３５８（本発明の広告費記憶部及び充当費記憶部に該当する。）は、広告費や導入費への充当額などを含む広告料金情報を記憶する。図７に広告料金情報の構成を示す。同図に示すように、広告料金情報には、広告主ＩＤ、広告管理番号、広告開始月、広告終了月、広告費、充当予定額、申込件数が含まれている。広告主ＩＤは、省エネルギー機器を提供する事業者を特定する情報である。広告開始月から広告終了月までの間、広告管理番号に対応する広告情報がＷＨＭサーバ２０に提供される。充当予定額は、会員から省エネルギー機器の申込があった場合に、導入費に充当される金額である。申込件数は、広告情報に応じて行われた申込の回数である。
【００２５】
広告情報送信部３１６は、定期的に、広告情報データベース３５９に登録されている広告情報をＷＨＭサーバ２０に送信する。送信する広告情報は、ランダムに選択するようにしてもよいし、予め定められた広告の送信スケジュールにしたがって選択するようにしてもよい。また、広告情報送信部３１６は、広告料金情報データベース３５８から、広告情報の広告管理番号に対応する充当予定額を読み出して、省エネルギー機器が導入される場合にはその充当予定額分の資金が導入費に充当される旨のメッセージをＨＴＭＬファイルに追記した上で広告情報をＷＨＭサーバ２０に送信する。
【００２６】
世帯属性情報データベース３５１は世帯属性情報を記憶する。図８に世帯属性情報の構成を示す。同図に示すように、世帯属性情報は、会員世帯ＩＤ、会員世帯の家族構成、会員世帯の構成員の年齢、会員世帯の構成員の性別、会員世帯の年収、会員世帯の住所、会員世帯の住居形態、会員世帯の延べ床面積、会員世帯の電気の使用状況、会員世帯のガスの使用状況、会員世帯の灯油の使用状況、会員世帯において使用されている機器の台数、会員世帯における生活パターン、会員世帯における電気の消費傾向が含まれている。
【００２７】
会員世帯ＩＤは、会員世帯を特定する情報である。会員世帯の電気の使用状況は、その会員世帯において電気が使用されているかどうかを示す情報である。使用状況は、会員世帯において電気が使用されていれば「使用」であり、使用されていなければ「不使用」である。会員世帯のガスの使用状況及び会員世帯の灯油の使用状況は、電気と同様に会員世帯においてガス及び灯油が使われているかどうかを示す情報であり、「使用」又は「不使用」が設定される。生活パターンは、会員世帯において利用される電気の使用量の推移のパターンを示す。会員世帯における電気の使用量から生活パターンを解析する処理の詳細については後述する。消費傾向は、会員世帯において電気の消費量が増えているかどうかを示す。なお、消費傾向の判断処理の詳細については後述する。
【００２８】
世帯属性情報受信部３１２は、ＷＨＭサーバ２０から送信される世帯属性情報を受信し、受信した世帯属性情報を世帯属性情報データベース３５１に登録する。
【００２９】
アクセス情報データベース３５２（本発明の閲覧履歴記憶部に該当する。）はアクセス情報を記憶する。図９にアクセス情報データベース３５２に記憶されるアクセス情報の構成を示す。同図に示すように、アクセス情報には、広告管理番号に対応付けて、アクセス日、会員世帯ＩＤ、アクション、感想情報を含んでいる。
【００３０】
アクセス日は、広告管理番号により特定される広告情報がアクセスされた日を示す。会員世帯ＩＤは、広告情報にアクセスした会員を特定するものである。アクションは、会員が広告情報に対して行ったアクセスの詳細を示す。アクションには、会員が広告情報を閲覧したことを示す「閲覧」、会員が資料の請求を行ったことを示す「資料請求」、省エネルギー機器の購入申し込みを行ったことを示す「申し込み」などがある。
【００３１】
アクセス情報受信部３１３は、ＷＨＭサーバ２０から送信されるアクセス情報を受信し、受信したアクセス情報をアクセス情報データベース３５２に登録する。
【００３２】
検針情報データベース１２４（本発明のエネルギー消費履歴記憶部に該当する。）には、ＷＨＭサーバ２０から送信される検針情報が記憶される。図１０に検針情報の構成を示す。同図に示すように、検針情報には、会員世帯ＩＤ、検針時刻、電気使用量、ガス使用量、水道使用量を含んでいる。検針時刻はＷＨＭサーバ２０がＷＨＭから電気やガス、水道の使用量を取得した時刻である。
【００３３】
検針情報受信部３１４は、ＷＨＭサーバ２０から送信される検針情報を受信し、受信した検針情報を検針情報データベース３５３に登録する。
【００３４】
生活パターンデータベース３５８は、電気の消費量から推測される会員の行動のパターンを表す情報（以下、生活パターン情報という。）を記憶する。図１１に生活パターン情報の構成を示す。同図に示すように、生活パターンデータベース３５８は、パターンＩＤ、パターン名、「起床」時刻、「外出」時刻、「帰宅」時刻、「就寝」時刻、「ピーク」時刻が含まれている。パターンＩＤは生活パターン情報の識別情報である。「ピーク」時刻は、「起床」時刻から「就寝」時刻までの間で、最も電気の消費量が多い時刻である。
【００３５】
生活パターン解析部３１７（本発明のパターン特定部に該当する。）は、会員世帯における電気の消費量の推移から会員の各行動時刻を推測し、推測した行動時刻に対応する生活パターン情報を生活パターンデータベース３５８から読み出し、読み出した生活パターン情報のパターンＩＤを、世帯属性情報データベース３５１に登録する。
【００３６】
本実施形態では、電気の消費量が所定量以上増加又は減少した時刻を、会員の行動の時刻として認識するものとする。図１２に生活パターン解析部３１７による会員の生活パターンの解析処理の流れを示す。また、図１３は電気消費量の遷移の一例を示す図である。
【００３７】
生活パターン解析部３１７は、検針情報データベース３５３から、解析の対象となる会員の会員世帯ＩＤに対応する検針情報を読み出し、読み出した検針情報に基づいて、０時から所定時間（例えば１５分や３０分、１時間など）毎の電気使用量の平均値を算出する（Ｓ４０１）。なお、平均値に代えて中央値を用いるようにしてもよい。
【００３８】
生活パターン解析部３１７は、所定時間毎の平均値について０時から順に、電気の使用量が所定量以上増加あるいは減少しているかどうかを判断していく。
【００３９】
生活パターン解析部３１７は、最初に電気の使用量が所定量以上増加している時刻（図１３；５０１）を「起床時刻」とし（Ｓ４０２）、「起床時刻」以降で使用量が所定量以上減少している時刻（図１３；５０２）を「外出時刻」とする（Ｓ４０３）。生活パターン解析部３１７は、「外出時刻」以降で電気使用量が所定量以上増加している時刻（図１３；５０３）を「帰宅時刻」とし（Ｓ４０４）、「帰宅時刻」以降で電気使用量が所定量以上減少している時刻（図１３；５０５）を「就寝時刻」とする（Ｓ４０５）。生活パターン解析部３１７は、１日の中で最も消費量の多い時刻（図１３；５０４）をピーク時刻とする（Ｓ４０６）。
【００４０】
生活パターン解析部３１７は、上記のようにして検出した「起床時刻」「外出時刻」「帰宅時刻」「就寝時刻」「ピーク時刻」のそれぞれと、生活パターンデータベース３５４に記憶されている生活パターン情報の起床時刻、外出時刻、帰宅時刻、就寝時刻、ピーク時刻との差が最も小さくなる生活パターン情報を生活パターンデータベース３５４から読み出す（Ｓ４０７）。生活パターン解析部３１７は、解析の対象となる会員の会員世帯ＩＤに対応する世帯属性情報のパターンＩＤを、上記の読み出した生活パターン情報のパターンＩＤで更新する（Ｓ４０８）。
【００４１】
消費傾向解析部３１８は、会員の電気の消費傾向を解析し、解析した結果を世帯属性情報データベース３５１に登録する。図１４に、消費傾向解析部３１８による処理の流れを示す。  
消費傾向解析部３１８は、検針時刻が所定期間内にある検針情報から、電気の消費量の中央値を算出する（Ｓ４２１）。なお、中央値に代えて平均値を用いるようにしてもよい。消費傾向解析部３１８は、世帯属性情報データベース３５１に記憶されている世帯属性情報のそれぞれについて、以下の処理を行う。  
消費傾向解析部３１８は、世帯属性情報の会員世帯ＩＤに対応し、検針時刻が所定期間内の検針情報の電気消費量を検針情報データベース３５３から読み出す（Ｓ４２２）。読み出した電気消費量が、上記の中央値よりも大きい場合（Ｓ４２３：ＹＥＳ）、消費傾向解析部３１８は、この会員の消費傾向は「浪費傾向」とし（Ｓ４２４）、中央値以下であれば（Ｓ４２３：ＮＯ）、消費傾向は「節約傾向」とする（Ｓ４２５）。  
消費傾向解析部３１８は、会員の世帯属性情報の消費傾向を、上記決定した消費傾向に更新する（Ｓ４２６）。
【００４２】
クラスタ情報データベース３５５は、会員世帯をクラスタに分類するための条件を管理する。図１５にクラスタ情報データベース３５５の構成を示す。同図に示すように、クラスタ情報データベース３５４は、クラスタ名に対応付けて、会員世帯をクラスタに分類するための条件が記憶される。クラスタ名は、任意の名称であり、センタシステム３０の利用者が設定する。
【００４３】
統計情報データベース３５６は、会員世帯のクラスタ毎に、アクセス情報を集計した統計情報を記憶する。図１６に統計情報データベース３５６に記憶される統計情報の構成を示す。同図に示すように、統計情報には、クラスタの名称、広告の閲覧回数、省エネルギー機器の申込件数、機器の資料請求件数、感想ポイントが含まれている。感想ポイントは、広告へのアクセス時に会員から感想が入力されたことに応じて付与されるポイントである。
【００４４】
統計処理部３１９は、アクセス情報データベース３５２から読み出すアクセス情報についての統計処理を行い、その結果を統計情報データベース３５６に登録する。図１７に統計処理部３１９による統計情報の登録処理の流れを示す。統計処理部３１９は、クラスタ情報データベース３５５に登録されているクラスタ情報のそれぞれについて、以下の処理を行う。  
統計処理部３１９は、クラスタ情報の条件に見合う世帯属性情報の会員世帯ＩＤに対応するアクセス情報を、アクセス情報データベース３５２から抽出する（Ｓ４４１）。統計処理部３１９は、抽出したアクセス情報のうち、アクションに「閲覧」が設定されているものを閲覧回数としてカウントし（Ｓ４４２）、アクションに「申込」が設定されているものを申込件数としてカウントし（Ｓ４４３）、アクションに「資料請求」が設定されているものを資料請求件数としてカウントし（Ｓ４４４）、感想情報に情報が設定されているものを感想ポイントとしてカウントする（Ｓ４４５）。統計処理部３１９は、クラスタ情報のクラスタ名に対応付けて、上記閲覧回数、申込件数、資料請求件数、感想ポイントを含む統計情報を作成して、作成した統計情報を統計情報データベース３５６に登録する（Ｓ４４６）。  
上記のようにして統計処理部３１９は、世帯属性情報に基づく会員世帯のクラスタ毎に、広告に対するアクセスの回数などの統計情報をデータベースに登録する。
【００４５】
プール金データベース３５７は、省エネルギー機器を提供する事業者が支払った広告費のうち、会員の省エネルギー機器の導入費に充当することのできる金額（以下、プール金という。）を管理する。図１８にプール金データベース３５７の構成を示す。同図に示すように、プール金データベース３５７は、プール金の金額（以下、プール金額という。）、充当額、拠出額を対応付けて記憶している。プール金額は、事業者が支払う広告費の総合計である。充当額は、過去に会員の導入費として充当した金額の累積値である。充当額は、広告料金情報の申込件数に充当予定額を乗算して算出する。拠出額は、プール金の残高が足りない場合に、会員の導入費に充当すべく事業者から支払われる金額である。プール金の残高は、プール金額から充当額を減じた金額に拠出額を加算して算出する。
【００４６】
申込情報受信部３１５は、ＷＨＭサーバ２０から送信される申込情報を受信し、申込情報出力部３２１は、受信した申込情報を、例えばディスプレイやプリンタなどの出力装置３０６に出力する。
【００４７】
広告報告書出力部３２０（本発明の集計部に該当する。）は、統計情報データベース３５６やプール金データベース３５７に登録されている情報をまとめた情報（以下、広告報告書という。）をディスプレイやプリンタなどの出力装置３０６に出力する。広告報告書出力部３２０が出力する広告報告書の一例を図１９に示す。図１９の例では、ディスプレイに表示される画面５１０に、統計情報の出力欄５１１やプール金や充当金が表示される充当額欄５１２などが出力されている。
【００４８】
＝＝処理＝＝
図２０は広告システム全体の処理を説明する図である。  
ＷＨＭサーバ２０は、世帯属性情報の入力を受け付けて（Ｓ６１１）、受け付けた世帯属性情報をセンタシステム３０に送信する（Ｓ６１２）。センタシステム３０は、受信した世帯属性情報を世帯属性情報データベース３５１に登録する。
【００４９】
ＷＨＭサーバ２０は、所定の期間毎に、ＷＨＭ１０から電気の消費量を取得し（Ｓ６２１）、取得した消費量と現在時刻を設定した検針情報を作成してセンタシステム３０に送信する（Ｓ６２２）。センタシステム３０は、受信した検針情報を検針情報データベース３５３に登録し、生活パターンの解析処理を行い（Ｓ６２３）、消費傾向の解析処理を行って（Ｓ６２４）、世帯属性情報を更新する。
【００５０】
また、センタシステム３０は、所定期間毎に、広告情報データベース３５９に登録されている広告情報をＷＨＭサーバ２０に送信する（Ｓ６３１）。ＷＨＭサーバ２０は、受信した広告情報に含まれているＨＴＭＬファイルや写真データに基づく画面データを入出力装置２１０に出力する（Ｓ６３２）。ＷＨＭサーバ２０は、会員が入出力装置２１０を用いて広告情報を閲覧したり、資料請求をしたりする操作を受け付けると（Ｓ６３３）、操作の内容をアクションとしたアクセス情報をセンタシステム３０に送信する（Ｓ６３４）。センタシステム３０は、受信したアクセス情報をアクセス情報データベース３５２に登録し、統計処理を行い（Ｓ６３５）、統計情報データベース３５６を更新する。
【００５１】
ＷＨＭサーバ２０は、広告に応じて省エネルギー機器の申込情報の入力を受け付けると（Ｓ６４１）、受け付けた申込情報をセンタシステム３０に送信する（Ｓ６４２）。センタシステム３０は、申込情報を受信すると、申込情報を出力するとともに（Ｓ６４３）、プール金データベース３５７を更新する（Ｓ６４４）。なお、プール金データベース３５７の更新処理の詳細については後述する。
【００５２】
センタシステム３０は、アクセス情報やプール金データベース３５７の内容に基づいて、広告報告書を作成し出力する（Ｓ６４５）。
【００５３】
上記のように、本実施形態の広告システムでは、会員がその機器を導入する際のコストを省エネルギー機器の販売者が負担するため、省エネルギー機器を導入する際の会員の負担が軽くなる。したがって、会員の省エネルギー機器購入の動機付けが可能となり、省エネルギー機器の販売促進を図ることができる。さらに、省エネルギー機器の販売促進により、環境対策を実現することができる。
【００５４】
また、本実施形態の広告システムでは、アクセス情報の統計値などを含む広告報告書を出力することができるので、広告に対する会員からの反応を確認することができる。
【００５５】
また、本実施形態の広告システムは、広告報告書において、生活パターンをクラスタとした統計値を出力することができる。したがって、省エネルギー機器の潜在的販売先である会員の生活パターンを把握して、効果的なマーケティングを行うことができる。また、本実施形態の広告システムは、消費傾向をクラスタとした統計値を出力することもできる。したがって、会員の消費傾向を省エネルギー機器の販売プランなどに生かすことができる。
【００５６】
図２１は、プール金データベース３５７の更新処理の流れを示す図である。  
センタシステム３０は、申込情報に含まれている広告管理番号に対応する広告料金情報を読み出す（Ｓ６５１）。読み出した広告料金情報の充当予定額がプール金の残高（プール金データベース３５７のプール金から充当額を減じて拠出額を加算した金額）以下である場合（Ｓ６５２：ＹＥＳ）（充当判断部）、センタシステム３０は、プール金データベース３５７のプール金に、広告料金情報の充当予定額を加算し（Ｓ６５３）、プール金データベース３５７の充当額にも、充当予定額を加算する（Ｓ６５４）。
【００５７】
一方、充当予定額がプール金の残高を上回っている場合（Ｓ６５２：ＮＯ）、センタシステム３０は、充当予定額からプール金の残高を減じた金額を不足額とする（Ｓ６５５）。センタシステム３０は、広告料金情報データベース３５８から、広告開始月から広告終了月までの間に現在日時が含まれる広告料金情報について、広告費の合計を算出し（Ｓ６５６）、各事業者の広告主ＩＤ毎に広告費を合計して事業者別の広告費を算出する（Ｓ６５７）。センタシステム３０は、不足額に事業者別の広告費を乗じて、広告費の合計で割ったものを、各事業者が支払うべき拠出額（以下、事業者別拠出額という。）とする（Ｓ６５８）。センタシステム３０は、事業者による支払が必要である旨のメッセージとともに、事業者別拠出額の一覧を出力装置３０６に出力する（Ｓ６５９）（メッセージ出力部）。センタシステム３０は、プール金データベース３５７の拠出額に不足額を加算して、拠出額を更新する（Ｓ６６０）。
【００５８】
このようにして、プール金の残高が充当額を下回った場合には、事業者が広告費に応じた拠出額を支払うように指示するメッセージを出力し、広告を提供している全事業者が、広告費の割合で充当額を負担するようにしている。したがって、販売促進の効果として導入費に充当すべき金額が増加した場合にも、導入費の原資を確保することができる。
【００５９】
なお、本実施形態では、アクセス情報の統計処理として閲覧回数などの数を数えるようにしたが、平均値や中央値、分散などを求めるようにしてもよい。例えば、統計処理により、消費傾向の分布や生活パターンの分布、感想情報の回答分布など各種の統計処理による統計値を求めるようにすることもできる。
【００６０】
また、本実施形態では、ＷＨＭ１０で検針するエネルギーは電力であるものとしたが、ガスや水道などの各種エネルギーについての消費量を検針するようにしてもよい。この場合、統計処理などについても、各種のエネルギー消費量について行うようにする。
【００６１】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００６２】
【図１】本発明の一実施形態による広告システムの全体構成を示す図である。
【図２】ＷＨＭサーバ２０の構成を示す図である。
【図３】ＷＨＭサーバ２０の機能ブロック図である。
【図４】センタシステム３０のハードウェア構成を示す図である。
【図５】センタシステム３０の機能ブロック図である。
【図６】広告情報データベース３５９に記憶される広告情報の構成を示す図である。
【図７】広告料金情報の構成を示す図である。
【図８】世帯属性情報の構成を示す図である。
【図９】アクセス情報の構成を示す図である。
【図１０】検針情報の構成を示す図である。
【図１１】生活パターン情報の構成を示す図である。
【図１２】生活パターン解析部３１７による会員の生活パターンの解析処理の流れを示す図である。
【図１３】電気消費量の遷移の一例を示す図である。
【図１４】消費傾向解析部３１８による処理の流れを示す図である。
【図１５】クラスタ情報データベース３５５の構成を示す図である。
【図１６】統計情報の構成を示す図である。
【図１７】統計処理部３１９による統計情報の登録処理の流れを示す図である。
【図１８】プール金データベース３５７の構成を示す図である。
【図１９】広告報告書の一例を示す図である。
【図２０】図２０は広告システム全体の処理を説明する図である。
【図２１】プール金データベース３５７の更新処理の流れを示す図である。
【符号の説明】
【００６３】
１０    ＷＨＭ                        ２０    ＷＨＭサーバ
２０１  ＣＰＵ                        ２０２  メモリ
２０３  記憶装置                      ２０４  通信インタフェース
２０５  Ｉ／Ｏインタフェース          ２０６  接続インタフェース
２１０  入出力装置
２２１  検針情報取得部                ２２２  検針情報送信部
２２３  世帯属性情報入力部            ２２４  世帯属性情報送信部
２２５  広告情報受信部                ２２６  広告情報出力部
２２７  アクセス情報送信部
２２８  申込情報入力部                ２２９  申込情報送信部
３０    センタシステム
３０１  ＣＰＵ                        ３０２  メモリ
３０３  記憶装置                      ３０４  通信インタフェース
３０５  入力装置                      ３０６  出力装置
３１１  ＷＨＭサーバ認証部            ３１２  世帯属性情報受信部
３１３  アクセス情報受信部            ３１４  検針情報受信部
３１５  申込情報受信部                ３１６  広告情報送信部
３１７  生活パターン解析部            ３１８  消費傾向解析部
３１９  統計処理部                    ３２０  広告報告書出力部
３２１  申込情報出力部                ３２２  広告情報登録部
３５１  世帯属性情報データベース      ３５２  アクセス情報データベース
３５３  検針情報データベース          ３５４  生活パターンデータベース
３５５  クラスタ情報データベース      ３５６  統計情報データベース
３５７  プール金データベース          ３５８  料金情報データベース
３５９  広告情報データベース
【図１】
2007041322.tif 000003
【図２】
2007041322.tif 000004
【図３】
2007041322.tif 000005
【図４】
2007041322.tif 000006
【図５】
2007041322.tif 000007
【図６】
2007041322.tif 000008
【図７】
2007041322.tif 000009
【図８】
2007041322.tif 000010
【図９】
2007041322.tif 000011
【図１０】
2007041322.tif 000012
【図１１】
2007041322.tif 000013
【図１２】
2007041322.tif 000014
【図１３】
2007041322.tif 000015
【図１４】
2007041322.tif 000016
【図１５】
2007041322.tif 000017
【図１６】
2007041322.tif 000018
【図１７】
2007041322.tif 000019
【図１８】
2007041322.tif 000020
【図１９】
2007041322.tif 000021
【図２０】
2007041322.tif 000022
【図２１】
2007041322.tif 000023